(57)【特許請求の範囲】
【請求項１】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と
を備え、
前記画像処理は、印刷濃度を調整する処理を含み、
前記画像処理部は、前記設定情報に含まれるフォント設定情報に基づいて、前記印刷濃度を調整する、画像形成システム。
【請求項２】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と
を備え、
前記画像処理は、拡大／縮小処理を含み、
前記画像処理部は、前記設定情報に含まれる文字サイズ設定情報に基づいて、前記拡大／縮小処理に用いる拡大／縮小率を決定する、画像形成システム。
【請求項３】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
前記第２記憶部に記憶されている少なくとも１つの前記画像データのうちの少なくとも１つを選択する指示を受け付ける画像選択受付部と、
前記画像選択受付部が受け付けた指示によって選択された前記画像データに含まれる第１文字列画像データから第１言語の第１文字コード列を生成する文字認識処理部と、
前記設定情報に含まれる言語設定情報に応じて、前記第１文字コード列を第２言語の第２文字コード列に変換する翻訳処理部と、
前記第２文字コード列に対応する第２文字列画像データに前記第１文字列画像データを置き換えた画像データを生成する文字画像変換部と
を備える、画像形成システム。
【請求項４】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
外部翻訳装置との間の通信を実行する通信部と、
前記第２記憶部に記憶されている少なくとも１つの前記画像データのうちの少なくとも１つを選択する指示を受け付ける画像選択受付部と、
前記画像選択受付部が受け付けた指示によって選択された前記画像データに含まれる第１文字列画像データから第１言語の第１文字コード列を生成する文字認識処理部と、
前記設定情報に含まれる言語設定情報に応じて、第２言語の第２文字コード列への前記第１文字コード列の変換を、前記通信部を介して前記外部翻訳装置に要求する翻訳要求部と、
前記通信部を介して前記外部翻訳装置から受信した前記第２文字コード列に対応する第２文字列画像データに前記第１文字列画像データを置き換えた画像データを生成する文字画像変換部と
を備える、画像形成システム。
【請求項５】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
表示部を有する操作パネルと、
前記画像データからプレビュー画像のデータを生成して、前記表示部に前記プレビュー画像を表示させるプレビュー表示制御部と
を備え、
前記プレビュー表示制御部は、前記設定情報に含まれる拡大／縮小率の情報に基づいて、前記プレビュー画像の拡大／縮小率を設定する、画像形成システム。
【請求項６】
前記画像形成装置は、
前記表示部に操作画面を表示させる操作画面表示制御部と、
前記設定情報に含まれるフォント設定情報に基づいて、前記操作画面に表示するフォントを設定するフォント設定部と
を更に備える、請求項５に記載の画像形成システム。
【請求項７】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
表示部を有する操作パネルと、
前記画像データからプレビュー画像のデータを生成して、前記表示部に前記プレビュー画像を表示させるプレビュー表示制御部と、
前記設定情報に含まれるバックライト設定情報に基づいて、前記表示部のバックライト設定を変更するバックライト設定変更部と
を備える、画像形成システム。
【請求項８】
前記画像形成装置は、ログアウト処理部を更に備え、
前記バックライト設定変更部は、前記ログアウト処理部がログアウト処理を実行してから所定の時間が経過した後に、前記表示部のバックライト設定を初期化する、請求項７に記載の画像形成システム。
【請求項９】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
表示部を有する操作パネルと、
前記画像データからプレビュー画像のデータを生成して、前記表示部に前記プレビュー画像を表示させるプレビュー表示制御部と、
前記操作パネルの操作音の出力のオン／オフを切り替える操作音設定変更部と
を備え、
前記操作音設定変更部は、前記設定情報に含まれる操作音の設定情報に基づいて、前記操作音の出力のオン／オフを切り替える、画像形成システム。
【請求項１０】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
表示部を有する操作パネルと、
前記画像データからプレビュー画像のデータを生成して、前記表示部に前記プレビュー画像を表示させるプレビュー表示制御部と
を備え、
前記表示部は、ユーザーに振動触覚を提示する触覚ディスプレーを含み、
前記画像形成装置は、前記触覚ディスプレーによる前記振動触覚の提示のオン／オフを切り替える振動触覚設定部を更に備え、
前記振動触覚設定部は、前記設定情報に含まれるバイブレーション機能の設定情報に基づいて、前記振動触覚の提示のオン／オフを切り替える、画像形成システム。
【請求項１１】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
表示部を有する操作パネルと、
前記画像データからプレビュー画像のデータを生成して、前記表示部に前記プレビュー画像を表示させるプレビュー表示制御部と
を備え、
前記操作パネルは、タッチセンサーを有し、
前記画像形成装置は、前記タッチセンサーの感度を変更する感度変更部を更に備え、
前記感度変更部は、前記設定情報に含まれるタッチセンサーの感度の情報に基づいて、前記操作パネルが有する前記タッチセンサーの感度を変更する、画像形成システム。
【請求項１２】
互いに無線通信が可能な携帯型端末と画像形成装置とを備える画像形成システムであって、
前記携帯型端末は、
前記携帯型端末の設定情報を記憶する第１記憶部と、
前記設定情報を前記画像形成装置へ送信する処理を実行する設定情報送信処理部と
を備え、
前記画像形成装置は、
画像データを記憶するとともに、前記携帯型端末から送信された前記設定情報を記憶する第２記憶部と、
前記画像データに対し前記設定情報に基づく画像処理を施す画像処理部と、
前記画像処理が施された後の前記画像データに基づいて、被記録媒体に画像を形成する画像形成部と、
前記第２記憶部に記憶されている前記設定情報の変更の指示を受け付ける設定情報変更受付部と、
前記設定情報変更受付部が受け付けた指示に応じて、前記第２記憶部に記憶されている前記設定情報を変更する第１設定情報変更部と、
前記携帯型端末に対し、前記第１記憶部に記憶されている前記設定情報を、前記第１設定情報変更部による変更後の前記設定情報へ変更する指示を行う設定情報変更指示部と
を備え、
前記携帯型端末は、前記設定情報変更指示部からの指示に応じて、前記第１記憶部に記憶されている前記設定情報を、前記第１設定情報変更部による変更後の前記設定情報へ変更する第２設定情報変更部を更に備える、画像形成システム。
【請求項１３】
前記画像処理は、色合いを調整する処理を含み、
前記画像処理部は、前記設定情報に含まれる言語設定情報に基づいて、前記色合いを調整する、請求項１２に記載の画像形成システム。
【発明の詳細な説明】
【技術分野】
【０００１】
本発明は、画像形成システムに関する。
【背景技術】
【０００２】
複写機や複合機のような画像形成装置では、一般的に、画像形成に際して各種の設定を行うことができる。典型的には、ユーザーは、画像形成装置が備える操作パネルを操作することにより、各種の設定を行う。また、このようなユーザーによる操作の手間を省くことを目的として、個人用の設定を自動的に行うシステムの開発が行われている。
【０００３】
例えば、特許文献１には、操作画面に表示させる言語を自動的に設定する画像形成装置が開示されている。詳しくは、画像形成装置は、ユーザーによって携帯されている携帯情報機器から言語データを取り出し、操作画面に表示させる言語を、携帯情報機器のディスプレーに表示される言語に変更する。
【先行技術文献】
【特許文献】
【０００４】
【特許文献１】特開平１０−１５１８４０号公報
【発明の概要】
【発明が解決しようとする課題】
【０００５】
しかしながら、特許文献１に開示された技術では、携帯情報機器（携帯型端末）の言語設定が、操作画面に表示する言語に反映されるのみである。このため、携帯型端末の設定情報を反映させた画像を用紙等の被記録媒体に形成することはできない。
【０００６】
本発明は上記課題に鑑みてなされたものであり、その目的は、携帯型端末の設定情報を反映させた画像を被記録媒体に形成することができる画像形成システムを提供することにある。
【課題を解決するための手段】
【０００７】
本発明の画像形成システムは、携帯型端末と画像形成装置とを備える。前記携帯型端末及び前記画像形成装置は、互いに無線通信が可能である。前記携帯型端末は、第１記憶部と、設定情報送信処理部とを備える。前記第１記憶部は、前記携帯型端末の設定情報を記憶する。前記設定情報送信処理部は、前記設定情報を前記画像形成装置へ送信する処理を実行する。前記画像形成装置は、第２記憶部と、画像処理部と、画像形成部とを備える。前記第２記憶部は、画像データを記憶する。また、前記第２記憶部は、前記携帯型端末から送信された前記設定情報を記憶する。前記画像処理部は、前記画像データに対し、前記設定情報に基づく画像処理を施す。前記画像形成部は、前記画像処理が施された後の前記画像データに基づいて、被記録媒体に画像を形成する。
【発明の効果】
【０００８】
本発明によれば、携帯型端末の設定情報を反映させた画像を被記録媒体に形成することができる。
【図面の簡単な説明】
【０００９】
【図１】本発明の実施形態１〜８に係る画像形成システムを示す図である。
【図２】本発明の実施形態１〜７に係る携帯型端末のブロック図である。
【図３】本発明の実施形態１に係る画像形成装置のブロック図である。
【図４】本発明の実施形態２に係る画像形成装置のブロック図である。
【図５】本発明の実施形態２に係る画像形成装置の変形例のブロック図である。
【図６】本発明の実施形態３に係る画像形成装置のブロック図である。
【図７】本発明の実施形態３に係る画像形成装置の変形例のブロック図である。
【図８】本発明の実施形態４に係る画像形成装置のブロック図である。
【図９】本発明の実施形態５に係る画像形成装置のブロック図である。
【図１０】本発明の実施形態６に係る画像形成装置のブロック図である。
【図１１】本発明の実施形態７に係る画像形成装置のブロック図である。
【図１２】本発明の実施形態８に係る画像形成装置のブロック図である。
【図１３】本発明の実施形態８に係る携帯型端末のブロック図である。
【発明を実施するための形態】
【００１０】
以下、図面を参照して本発明の実施形態を説明する。ただし、本発明は以下の実施形態に限定されない。図中、同一又は相当部分については同一の参照符号を付して説明を繰り返さない。
【００１１】
［実施形態１］
図１は、本実施形態に係る画像形成システムを示す図である。図１に示すように、画像形成システム１００は、携帯型端末２００と、画像形成装置４００とを備える。携帯型端末２００は、例えば、携帯電話機、スマートフォン（多機能型携帯電話機）、タブレットＰＣ（Ｐｅｒｓｏｎａｌ  Ｃｏｍｐｕｔｅｒ）のようなタブレット端末、又はノートＰＣであり得る。本実施形態において、画像形成装置４００は、複合機である。
【００１２】
画像形成システム１００において、携帯型端末２００と画像形成装置４００とは、互いに無線通信が可能であり、携帯型端末２００から画像形成装置４００へ、携帯型端末２００の設定情報が送信される。
【００１３】
無線通信方式は、近距離型の無線通信方式が好ましい。近距離型の無線通信方式を採用することにより、画像形成装置４００を利用しないユーザーが携帯している携帯型端末２００と画像形成装置４００との間で、無用な通信が実施される可能性を低減させることができる。
【００１４】
図２は、携帯型端末２００のブロック図である。図２に示すように、携帯型端末２００は、第１通信部２１、第１表示部２２、操作部２３、第１記憶部２６、及び第１制御部３１を備える。
【００１５】
第１通信部２１は、近距離無線通信方式の無線通信インターフェイスであり、携帯型端末２００は、同じ方式の無線通信インターフェイスが実装された電子機器との間で通信が可能である。本実施形態において、第１通信部２１は、非接触式ＩＣモジュールである。したがって、ユーザーは、図１に示す画像形成装置４００において非接触式ＩＣモジュールが配置されている部位に携帯型端末２００をかざすことにより、携帯型端末２００と画像形成装置４００との間の通信を実行させることができる。
【００１６】
第１表示部２２は、各種の画面（各種の情報）を表示する。第１表示部２２は、例えばＬＣＤ（Ｌｉｑｕｉｄ  Ｃｒｙｓｔａｌ  Ｄｉｓｐｌａｙ）である。操作部２３は、ユーザーの操作を受け付ける。本実施形態において、操作部２３は、タッチセンサー２４と、ハードキーと２５とを有する。タッチセンサー２４は第１表示部２２上に配置される。換言すると、携帯型端末２００は、タッチパネルを備える。ユーザーが、タッチパネルに表示された各種ボタンや、ハードキー２５を操作することにより、各種の情報が第１制御部３１に入力される。第１制御部３１は、操作部２３から入力された情報に応じて、携帯型端末２００に各種の動作を実行させる。なお、携帯型端末２００がタッチパネルを備える場合、ハードキー２５は省略されてもよい。また、携帯型端末２００がハードキー２５を備える場合、タッチセンサー２４は省略されてもよい。
【００１７】
第１記憶部２６は、プログラムや設定情報などを記憶する。第１記憶部２６は、例えば、ＨＤＤ（Ｈａｒｄ  Ｄｉｓｋ  Ｄｒｉｖｅ）が備える磁気ディスク、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）によって構成され得る。
【００１８】
本実施形態において、第１記憶部２６は、設定反映アプリケーション２７、第１認証情報２８、及び設定情報２９を記憶している。設定反映アプリケーション２７は、図１に示す画像形成装置４００へ設定情報２９を送信するためのプログラムである。第１認証情報２８は、画像形成装置４００へのログイン（ユーザー認証）に用いられるアカウント情報であり、例えば、ユーザー名、ＩＤ、及びパスワードのうちのいずれか１つの情報、又はそれらのうちの２つ以上を組み合わせた情報である。設定情報２９は、携帯型端末２００の各種の設定内容を含む。例えば、設定情報２９は、第１表示部２２に表示される言語を示す言語設定情報や、第１表示部２２に表示されるフォントを示すフォント設定情報、第１表示部２２に表示される文字のサイズを示す文字サイズ設定情報などを含み得る。
【００１９】
第１制御部３１は、第１記憶部２６に記憶されたプログラムを実行することによって、数値計算や情報処理、機器制御のような様々な処理を行い、携帯型端末２００の動作を制御する。第１制御部３１は、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を含み得る。
【００２０】
本実施形態において、第１制御部３１は、設定反映アプリケーション２７を実行することにより、認証情報送信処理部３２及び設定情報送信処理部３３を有するように機能する。
【００２１】
認証情報送信処理部３２は、画像形成装置４００からの要求に応じて、第１認証情報２８を画像形成装置４００へ送信する処理を実行する。即ち、認証情報送信処理部３２は、第１認証情報２８を第１記憶部２６から読み出す。また、認証情報送信処理部３２は、第１記憶部２６から読み出した第１認証情報２８を、第１通信部２１を介して画像形成装置４００へ送信する。
【００２２】
設定情報送信処理部３３は、画像形成装置４００からの要求に応じて、設定情報２９を画像形成装置４００へ送信する処理を実行する。即ち、設定情報送信処理部３３は、設定情報２９を第１記憶部２６から読み出す。また、設定情報送信処理部３３は、第１記憶部２６から読み出した設定情報２９を、第１通信部２１を介して画像形成装置４００へ送信する。
【００２３】
図３は、画像形成装置４００のブロック図である。図３に示すように、画像形成装置４００は、第２通信部４１、操作パネル４２、画像形成部４６、第２記憶部４７、及び第２制御部５４を備える。
【００２４】
第２通信部４１は、近距離無線通信方式の無線通信インターフェイスであり、画像形成装置４００は、同じ方式の無線通信インターフェイスが実装された電子機器との間で通信が可能である。本実施形態において、第２通信部４１は、非接触式ＩＣモジュールである。したがって、画像形成装置４００において第２通信部４１が配置されている部位に携帯型端末２００がかざされることにより、携帯型端末２００と画像形成装置４００との間の通信が実行される。好ましくは、第２通信部４１は、画像形成装置４００の平坦面の内側に内蔵される。この構成により、ユーザーは、携帯型端末２００をその平坦面上に置いた状態で各種の作業を行うことができる。よって、ユーザーは各種作業を容易に実行することができる。
【００２５】
操作パネル４２は、第２表示部４３と、タッチセンサー４４と、ハードキー４５とを有する。第２表示部４３は、各種の画面（各種の情報）を表示する。第２表示部４３は、例えばＬＣＤである。タッチセンサー４４は第２表示部４３上に配置される。換言すると、操作パネル４２は、タッチパネルを備える。ユーザーが、タッチパネルに表示された各種ボタンや、ハードキー４５を操作することにより、各種の情報が第２制御部５４に入力される。第２制御部５４は、操作パネル４２から入力された情報に応じて、画像形成装置４００に各種の動作を実行させる。なお、画像形成装置４００がタッチパネルを備える場合、ハードキー４５は省略されてもよい。また、画像形成装置４００がハードキー４５を備える場合、タッチセンサー４４は省略されてもよい。
【００２６】
画像形成部４６は、用紙等の被記録媒体に対する画像形成動作を実行する。画像形成部４６は、例えば電子写真方式の画像形成部、又はインクジェット方式の画像形成部であり得る。
【００２７】
第２記憶部４７は、プログラムや設定情報などを記憶する。第２記憶部４７は、例えば、ＨＤＤが備える磁気ディスク、ＲＡＭ及びＲＯＭによって構成され得る。
【００２８】
本実施形態において、第２記憶部４７は、ユーザーごとに事前に登録された第２認証情報４８を記憶している。また、第２記憶部４７は、フォントデータ５１を記憶している。フォントデータ５１は、例えば、第２表示部４３に操作画面が表示される際に使用される。また、フォントデータ５１は、文字列を含む画像が被記録媒体に形成される際に使用される。
【００２９】
第２記憶部４７には、ユーザーごとにボックス５２が設定されている。ボックス５２には、必要に応じて印刷することができる画像（画像データ）が登録される。換言すると、第２記憶部４７には、ボックス５２ごとに画像データが記憶される。各ボックス５２は、複数の画像データを蓄積可能である。画像形成装置４００にログインしたユーザーは、自身のボックス５２に登録されている画像を被記録媒体に形成することができる。また、ユーザーは、自身のボックス５２に登録された画像のプレビュー画像を表示させることができる。第２記憶部４７は更に、携帯型端末２００から送信された設定情報２９を一次的に記憶する。
【００３０】
第２制御部５４は、第２記憶部４７に記憶されたプログラムを実行することによって、数値計算や情報処理、機器制御のような様々な処理を行い、画像形成装置４００の動作を制御する。第２制御部５４は、例えばＣＰＵ又はＭＰＵを含み得る。また、第２制御部５４は、画像処理用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を含み得る。
【００３１】
本実施形態において、第２制御部５４は、第２記憶部４７に記憶されているプログラムを実行することにより、ログイン処理部５５、ログアウト処理部５６、操作画面表示制御部５７、画像選択受付部５８、プレビュー表示制御部５９、及び画像処理部６１を有するように機能する。
【００３２】
ログイン処理部５５は、携帯型端末２００に対し、第２通信部４１を介して第１認証情報２８の送信を要求する。この要求に応じて携帯型端末２００から送信された第１認証情報２８が、第２通信部４１を介して第２制御部５４に入力されると、ログイン処理部５５はログイン処理を実行する。即ち、ログイン処理部５５は、第２通信部４１が受信した第１認証情報２８に対応する第２認証情報４８を、第２記憶部４７が記憶しているか否かを判定する。第１認証情報２８に対応する第２認証情報４８を第２記憶部４７が記憶している場合、携帯型端末２００を携帯するユーザーは正規のユーザーであると認証される。つまり、認証が成功する。一方、第１認証情報２８に対応する第２認証情報４８を第２記憶部４７が記憶していない場合、認証は失敗する。認証が成功した場合、第２制御部５４は、携帯型端末２００に対し、第２通信部４１を介して設定情報２９の送信を要求する。この結果、第２記憶部４７に、携帯型端末２００から受信した設定情報２９が記憶される。
【００３３】
ログアウト処理部５６は、ログアウト処理を実行する。具体的には、ログアウト処理部５６は、携帯型端末２００（第１通信部２１）と画像形成装置４００（第２通信部４１）との間の通信が途絶えると、ログアウト処理を実行する。又は、ログアウト処理部５６は、携帯型端末２００と画像形成装置４００との間の通信が途絶えてから所定の時間が経過した後に、ログアウト処理を実行する。また、ログアウト処理部５６は、操作パネル４２がユーザーによる操作を最後に受け付けてから所定の時間が経過した後に、ログアウト処理を実行する。また、ログアウト処理部５６は、ユーザーが操作パネル４２を介してログアウトを指示した場合に、ログアウト処理を実行する。ログアウト処理部５６がログアウト処理を実行すると、第２制御部５４は、第２記憶部４７から設定情報２９を消去して、画像形成装置４００の各種の設定内容を初期化する。
【００３４】
操作画面表示制御部５７は、第２記憶部４７から必要なデータ（フォントデータ５１やレイアウト画像データなど）を読み出して、第２表示部４３に各種の操作画面を表示させる。フォントデータ５１は、操作画面に文字を表示するために利用される。
【００３５】
画像選択受付部５８は、第２記憶部４７に記憶されている少なくとも１つの画像データのうちの少なくとも１つを選択する指示を受け付ける。即ち、画像形成装置４００にログインしたユーザーは、操作パネル４２を操作して、自身のボックス５２に登録されている複数の画像（画像データ）のうちから、印刷対象の画像（画像データ）を選択する指示を入力することができる。また、ユーザーは、自身のボックス５２に登録されている複数の画像（画像データ）のうちから、プレビュー表示させる対象の画像（画像データ）を選択する指示を入力することができる。
【００３６】
プレビュー表示制御部５９は、操作パネル４２からプレビュー画像の表示指示が入力されると、第２記憶部４７に記憶されている画像データからプレビュー画像のデータを生成して、第２表示部４３にプレビュー画像を表示させる。即ち、プレビュー表示制御部５９は、画像選択受付部５８が受け付けた指示によって選択された画像データを第２記憶部４７から読み出す。また、プレビュー表示制御部５９は、第２記憶部４７から読み出した画像データからプレビュー画像のデータを生成する。
【００３７】
画像処理部６１は、操作パネル４２から印刷指示が入力されると、被記録媒体に画像が形成される前に、その画像（画像データ）に対して各種の画像処理を施す。即ち、画像処理部６１は、画像選択受付部５８が受け付けた指示によって選択された画像データを第２記憶部４７から読み出す。また、画像処理部６１は、第２記憶部４７から読み出した画像データに対して各種の画像処理を施す。画像処理は、例えば、シェーディング補正、印刷濃度を調整する処理（反射光補正）、色合いを調整する処理（色調補正）、及び拡大／縮小処理を含む。
【００３８】
本実施形態において、画像処理部６１は、携帯型端末２００の設定情報２９に基づく画像処理を画像データに対して施す。画像処理部６１は、画像処理が施された後の画像データに基づいて、被記録媒体に画像を形成する。この結果、携帯型端末２００の設定情報２９が反映された画像が被記録媒体に形成される。
【００３９】
本実施形態では、印刷濃度を調整する処理、色合いを調整する処理、及び拡大／縮小処理に設定情報２９が反映される。なお、印刷濃度を調整する処理、色合いを調整する処理、及び拡大／縮小処理のうちの任意の１つ又は２つの処理に、設定情報２９が反映されてもよい。
【００４０】
具体的には、画像処理部６１は、設定情報２９に含まれるフォント設定情報に基づいて、印刷濃度を調整する。即ち、携帯型端末２００が使用しているフォントデータに応じて、印刷濃度が調整される。詳しくは、画像処理部６１は、携帯型端末２００が使用しているフォントの文字幅が太いほど、印刷濃度を濃くする。
【００４１】
また、画像処理部６１は、設定情報２９に含まれる言語設定情報に基づいて、色合いを調整する。即ち、携帯型端末２００の第１表示部２２に表示される言語に応じて、色合いが調整される。国ごとに、一般的な色合い（認識される色合い）が異なるためである。
【００４２】
また、画像処理部６１は、設定情報２９に含まれる文字サイズ設定情報に基づいて、拡大／縮小処理に用いる拡大／縮小率を決定する。即ち、携帯型端末２００の第１表示部２２に表示される文字のサイズに応じた拡大／縮小率が設定される。例えば、携帯型端末２００における最大の文字サイズが設定されている場合、画像処理部６１は、ページ数が増加しない範囲で最大の拡大率を設定する。
【００４３】
更に、本実施形態では、プレビュー表示制御部５９が、設定情報２９に含まれる拡大／縮小率の情報に基づいて、プレビュー画像の拡大／縮小率を設定する。即ち、プレビュー画像が、携帯型端末２００の第１表示部２２に表示されている画面（画像）の拡大／縮小率に応じた拡大／縮小率で表示される。設定情報２９に含まれる拡大／縮小率は、例えば、携帯型端末２００が第１表示部２２にＷｅｂブラウザーを表示する際に使用する拡大／縮小率であり得る。
【００４４】
以上、実施形態１について説明した。実施形態１によれば、携帯型端末２００の設定情報２９が反映された画像を被記録媒体に形成することができる。更に、携帯型端末２００の設定情報２９が反映されたプレビュー画像を表示することができる。したがって、ユーザーは、操作パネル４２を操作することなく、印刷濃度などの各設定項目を自身の好みに合わせることができる。また、携帯型端末２００自身が使用する設定情報２９を画像形成装置４００の各設定項目に反映させることができる。よって、画像形成装置４００専用の設定情報を携帯型端末２００に記憶させる必要がない。したがって、携帯型端末２００の記憶容量の空き領域を減らすことなく、画像形成装置４００の設定を変更することができる。
【００４５】
なお、携帯型端末２００と画像形成装置４００との間の通信の実行中に、携帯型端末２００の設定情報２９が更新された場合、携帯型端末２００は、更新後の設定情報２９を画像形成装置４００に送信してもよい。更新後の設定情報２９が送信されることにより、携帯型端末２００の最新の設定情報２９が反映された画像を被記録媒体に形成することができる。また、携帯型端末２００の最新の設定情報２９が反映されたプレビュー画像を表示することができる。換言すると、ユーザーは、携帯型端末２００の設定を変更することにより、画像形成装置４００の操作パネル４２を操作することなく、画像形成装置４００の設定を変更することができる。
【００４６】
［実施形態２］
続いて図４及び図５を参照して実施形態２について説明する。但し、実施形態１と異なる事項を説明し、実施形態１と同じ事項についての説明は割愛する。実施形態２は、画像形成装置４００の構成が実施形態１と異なる。
【００４７】
図４は、実施形態２に係る画像形成装置４００のブロック図である。図４に示すように、画像形成装置４００において、第２記憶部４７は、文字コード群６３を更に記憶している。文字コード群６３は、各種言語の文字コードを含む。また、第２制御部５４は、第２記憶部４７に記憶されているプログラムを実行することにより、文字認識処理部６４、翻訳処理部６５、及び文字画像変換部６６を更に有するように機能する。
【００４８】
文字認識処理部６４は、文字コード群６３を参照して、画像選択受付部５８が受け付けた指示によって選択された画像データに含まれる第１文字列画像データから第１言語の第１文字コード列を生成する。即ち、ユーザーによって選択された画像に、ある言語（第１言語）の文字列が含まれる場合、文字認識処理部６４によって、その言語（第１言語）の文字コード列（第１文字コード列）が生成される。
【００４９】
翻訳処理部６５は、設定情報２９に含まれる言語設定情報に応じて、第１文字コード列を第２言語の第２文字コード列に変換する。即ち、第１文字コード列が、携帯型端末２００の第１表示部２２に表示される言語（第２言語）の文字コード列（第２文字コード列）に変換される。具体的には、翻訳処理部６５は、文字コード群６３を参照して、第１文字コード列に対応する第２文字コード列を生成する。
【００５０】
文字画像変換部６６は、第２文字コード列に対応する第２文字列画像データに第１文字列画像データを置き換えた画像データを生成する。即ち、文字画像変換部６６は、第２文字コード列に含まれる各文字コードに対応する文字画像（文字画像データ）を生成することにより、第２文字列画像データを生成する。また、文字画像変換部６６は、ユーザーによって選択された画像（画像データ）において、その画像に含まれる文字列画像（第１文字列画像データ）を第２文字列画像（第２文字列画像データ）に置き換えた画像データを生成する。この結果、ユーザーによって選択された画像（画像データ）において、その画像に含まれる文字列を、携帯型端末２００の第１表示部２２に表示される言語（第２言語）に翻訳した画像（画像データ）が生成される。
【００５１】
画像形成部４６は、ユーザーによって選択された画像を被記録媒体に形成する際に、文字画像変換部６６によって翻訳が行われた後の画像データに基づいて、被記録媒体に画像を形成する。この結果、携帯型端末２００の第１表示部２２に表示される言語（第２言語）の文字列画像を含む画像が被記録媒体に形成される。よって、ユーザーは、印刷を指示した画像に文字列が含まれている場合、携帯型端末２００に設定されている言語にその文字列が翻訳された画像を取得することができる。したがって、ユーザーは、印刷した画像（例えば、文書）の内容を容易に確認することができる。
【００５２】
また、プレビュー表示制御部５９は、ユーザーによって選択された画像のプレビュー画像を第２表示部４３に表示させる際に、文字画像変換部６６によって翻訳が行われた後の画像データに基づいて、プレビュー画像のデータを生成する。この結果、携帯型端末２００の第１表示部２２に表示される言語（第２言語）の文字列画像を含むプレビュー画像が第２表示部４３に表示される。よって、ユーザーは、プレビュー画像の表示を指示した画像に文字列が含まれている場合、携帯型端末２００に設定されている言語にその文字列が翻訳された画像を、プレビュー画像により確認することができる。したがって、ユーザーは、プレビュー画像を介して、印刷対象の画像（例えば、文書）の内容を容易に確認することができる。
【００５３】
以上のように、実施形態２によれば、携帯型端末２００の設定情報（言語設定情報）を反映させた画像を被記録媒体に形成することができる。また、携帯型端末２００の設定情報（言語設定情報）を反映させたプレビュー画像を表示することができる。
【００５４】
なお、本実施形態では、画像形成装置４００が翻訳を実行する構成について説明したが、図５に示すように、外部の翻訳サーバー１０１に翻訳を実行させてもよい。図５は、実施形態２に係る画像形成装置４００の変形例のブロック図である。
【００５５】
図５に示す画像形成装置４００は、第３通信部６７を更に備える。第３通信部６７は、例えば通信インターフェイスであり、ネットワークＮを介した他の機器との間の通信を制御する。ネットワークＮは、例えば、インターネット回線、ＬＡＮ（Ｌｏｃａｌ  Ａｒｅａ  Ｎｅｔｗｏｒｋ）、及び公衆電話網を含み得る。本実施形態において、第３通信部６７は、ネットワークＮを介して翻訳サーバー（外部翻訳装置）との間の通信を実行する。
【００５６】
また、図５に示す画像形成装置４００において、第２制御部５４は、第２記憶部４７に記憶されているプログラムを実行することにより、文字認識処理部６４、翻訳要求部６８、及び文字画像変換部６６を有するように機能する。
【００５７】
翻訳要求部６８は、第３通信部６７を介して、設定情報２９に含まれる言語設定情報に応じた言語への翻訳を翻訳サーバー１０１に要求する。具体的には、翻訳要求部６８は、設定情報２９に含まれる言語設定情報に基づいて、携帯型端末２００に設定されている言語（第１表示部２２に表示される言語）を特定する。また、翻訳要求部６８は、文字認識処理部６４が生成した文字コード列（第１文字コード列）を、携帯型端末２００の第１表示部２２に表示される言語（第２言語）の文字コード列（第２文字コード列）に変換する要求を行う。即ち、翻訳サーバー１０１に対し、第１文字コート列を送信するとともに、携帯型端末２００に設定されている言語を示す情報を送信する。
【００５８】
文字画像変換部６６は、第３通信部６７を介して翻訳サーバー１０１から受信した第２文字コード列に対応する第２文字列画像データに第１文字列画像データを置き換えた画像データを生成する。即ち、文字画像変換部６６は、第２文字コード列に含まれる各文字コードに対応する文字画像（文字画像データ）を生成することにより、第２文字列画像データを生成する。また、文字画像変換部６６は、ユーザーによって選択された画像（画像データ）において、その画像に含まれる文字列画像（第１文字列画像データ）を第２文字列画像（第２文字列画像データ）に置き換えた画像データを生成する。この結果、ユーザーによって選択された画像（画像データ）において、その画像に含まれる文字列を、携帯型端末２００の第１表示部２２に表示される言語（第２言語）に翻訳した画像（画像データ）が生成される。
【００５９】
［実施形態３］
続いて図６及び図７を参照して実施形態３について説明する。但し、実施形態１及び２と異なる事項を説明し、実施形態１及び２と同じ事項についての説明は割愛する。実施形態３は、画像形成装置４００の構成が実施形態１及び２と異なる。
【００６０】
図６は、実施形態３に係る画像形成装置４００のブロック図である。図６に示すように、画像形成装置４００において、第２制御部５４は、第２記憶部４７に記憶されているプログラムを実行することにより、フォント設定部６９を更に有するように機能する。
【００６１】
フォント設定部６９は、設定情報２９に含まれるフォント設定情報に基づいて、操作画面に表示するフォントを設定する。この結果、操作画面（第２表示部４３）に表示されるフォントが、携帯型端末２００の第１表示部２２に表示されるフォントと同じフォントになる。具体的には、操作画面表示制御部５７が、第２記憶部４７に記憶されているフォントデータ５１のうちから、設定情報２９に含まれるフォント設定情報に対応するフォントデータを読み出す。また、操作画面表示制御部５７は、第２記憶部４７から読み出したフォントデータを用いて、第２表示部４３に操作画面を表示させる。
【００６２】
以上のように、実施形態３によれば、携帯型端末２００の設定情報（フォント設定情報）を反映させた画面（画像）を操作パネル４２に表示させることができる。具体的には、携帯型端末２００の設定情報（フォント設定情報）に応じて、操作パネル４２（第２表示部４３）に表示されるフォントが変更される。
【００６３】
なお、第２記憶部４７に記憶されているフォントデータ５１に、設定情報２９に含まれるフォント設定情報に対応するフォントデータ、即ち携帯型端末２００が使用しているフォントデータが含まれない場合、図７に示すように、画像形成装置４００は、携帯型端末２００が使用しているフォントデータを、外部サーバー１０２から取得してもよい。図７は、実施形態３に係る画像形成装置４００の変形例のブロック図である。
【００６４】
図７に示す画像形成装置４００は、第３通信部６７を更に備える。本実施形態において、第３通信部６７は、ネットワークＮを介して外部サーバー（外部装置）との間の通信を実行する。
【００６５】
また、図７に示す画像形成装置４００において、フォント設定部６９は、第３通信部６７を介して、設定情報２９に含まれるフォント設定情報に応じたフォントデータの送信を外部サーバー１０２に要求する。具体的には、フォント設定部６９は、設定情報２９に含まれるフォント設定情報に基づいて、携帯型端末２００が使用しているフォントデータの種類を示す情報を外部サーバー１０２に送信する。また、フォント設定部６９は、第３通信部６７を介して外部サーバー１０２から受信したフォントデータを第２記憶部４７に記憶させる。この結果、携帯型端末２００の設定情報（フォント設定情報）に応じて、操作パネル４２（第２表示部４３）に表示されるフォントが変更される。
【００６６】
［実施形態４］
続いて図８を参照して、実施形態４について説明する。但し、実施形態１〜３と異なる事項を説明し、実施形態１〜３と同じ事項についての説明は割愛する。実施形態４は、画像形成装置４００の構成が実施形態１〜３と異なる。
【００６７】
図８は、実施形態４に係る画像形成装置４００のブロック図である。図８に示すように、画像形成装置４００において、第２制御部５４は、第２記憶部４７に記憶されているプログラムを実行することにより、バックライト設定変更部７２を更に有するように機能する。
【００６８】
バックライト設定変更部７２は、設定情報２９に含まれるバックライト設定情報に基づいて、第２表示部４３のバックライト設定を変更する。具体的には、バックライト設定情報は、バックライトの点灯時間情報を含み得る。また、バックライト設定情報は、バックライトの明度の設定情報を含み得る。
【００６９】
設定情報２９に含まれるバックライトの点灯時間情報は、携帯型端末２００がユーザーによって最後に操作されてから、第１表示部２２が有するバックライトが点灯を続行（継続）する時間を示す。換言すると、携帯型端末２００がユーザーによって最後に操作されてから、所定の時間（バックライト点灯時間）が経過すると、第１表示部２２のバックライトは消灯する。設定情報２９がバックライトの点灯時間情報を含む場合、第２表示部４３が有するバックライト７１の点灯時間に、携帯型端末２００に設定されているバックライトの点灯時間が反映される。例えば、携帯型端末２００に設定されているバックライトの点灯時間が２分である場合、バックライト設定変更部７２は、バックライト７１の点灯時間を２分に設定する。したがって、画像形成装置４００がユーザーによって最後に操作されてから２分（バックライト点灯時間）が経過すると、第２制御部５４の制御によりバックライト７１は消灯する。
【００７０】
設定情報２９に含まれるバックライトの明度の設定情報は、携帯型端末２００が備える第１表示部２２のバックライトの明度を示す。したがって、設定情報２９がバックライトの明度の設定情報を含む場合、携帯型端末２００のバックライトの明度の設定が、バックライト７１の明度の設定に反映される。例えば、バックライト設定変更部７２は、バックライト７１の明度の設定値として、携帯型端末２００のバックライトの明度の設定値を設定する。この結果、バックライト７１は、第２制御部５４の制御により、携帯型端末２００のバックライトと同じ明度で点灯する。
【００７１】
以上のように、実施形態４によれば、携帯型端末２００のバックライト設定を画像形成装置４００に反映させることができる。したがって、携帯型端末２００が省エネ設定で使用されている場合、画像形成装置４００を省エネ設定に変更することができる。
【００７２】
なお、バックライト７１の設定は、携帯型端末２００のバックライトの設定と同一でなくてもよい。例えば、携帯型端末２００に設定されているバックライトの点灯時間が、画像形成装置４００において規定されているバックライト７１の最小点灯時間よりも短い場合、バックライト設定変更部７２は、バックライト７１の点灯時間に最小点灯時間を設定する。例えば、バックライト７１の最小点灯時間が１分であり、携帯型端末２００に設定されているバックライトの点灯時間が３０秒である場合、バックライト設定変更部７２は、バックライト７１の点灯時間に１分を設定する。同様に、携帯型端末２００に設定されているバックライトの明度が、画像形成装置４００において規定されているバックライト７１の最低明度よりも低い場合、バックライト設定変更部７２は、バックライト７１の明度に最低明度を設定する。このように、携帯型端末２００の各種設定が反映された後の画像形成装置４００の各種設定内容は、携帯型端末２００の設定と同一でなくてもよい。
【００７３】
また、バックライト設定変更部７２は、ログアウト処理部５６がログアウト処理を実行してから所定の時間が経過した後に、バックライト７１の設定を初期化してもよい。この場合、設定情報２９に含まれる情報のうち、バックライト設定情報については、ログアウト処理部５６がログアウト処理を実行してから所定の時間が経過した後に第２記憶部４７から消去される。このように、ログアウト処理が行われた直後にバックライト設定の初期化が行われないことにより、例えば、第２表示部４３の明度の変化の頻度を抑制することができる。
【００７４】
［実施形態５］
続いて図９を参照して実施形態５について説明する。但し、実施形態１〜４と異なる事項を説明し、実施形態１〜４と同じ事項についての説明は割愛する。実施形態５は、画像形成装置４００の構成が実施形態１〜４と異なる。
【００７５】
図９は、実施形態５に係る画像形成装置４００のブロック図である。図９に示すように、画像形成装置４００において、操作パネル４２は、操作音出力部７４を更に備える。また、第２記憶部４７は、操作音データ７３を更に記憶する。第２制御部５４は、操作音データ７３に基づいて、操作音出力部７４から操作音を出力させることができる。操作音出力部７４は、例えばスピーカーであり得る。
【００７６】
また、第２制御部５４は、第２記憶部４７に記憶されているプログラムを実行することにより、操作音設定変更部７５を更に有するように機能する。操作音設定変更部７５は、設定情報２９に含まれる操作音の設定情報に基づいて、操作パネル４２の操作音の出力のオン／オフを切り替える。即ち、携帯型端末２００において操作音の出力がオンになっている場合、操作音設定変更部７５は、操作パネル４２の操作音の出力をオンに設定する。一方、携帯型端末２００において操作音の出力がオフになっている場合、操作音設定変更部７５は、操作パネル４２の操作音の出力をオフに設定する。
【００７７】
以上のように、実施形態５によれば、携帯型端末２００における操作音の出力のオン／オフ設定を画像形成装置４００に反映させることができる。したがって、画像形成装置４００の設定（操作音のオン／オフ設定）をユーザーの好みの設定に自動的に合わせることができる。
【００７８】
［実施形態６］
続いて図１０を参照して実施形態６について説明する。但し、実施形態１〜５と異なる事項を説明し、実施形態１〜５と同じ事項についての説明は割愛する。実施形態６は、画像形成装置４００の構成が実施形態１〜５と異なる。
【００７９】
図１０は、実施形態６に係る画像形成装置４００のブロック図である。図１０に示すように、実施形態６において、画像形成装置４００の操作パネル４２は、触覚ディスプレー７６とハードキー４５とを備える。また、第２制御部５４は、第２記憶部４７に記憶されているプログラムを実行することにより、振動触覚設定部７７を更に有するように機能する。
【００８０】
触覚ディスプレー７６は、各種の画面（各種の情報）を表示する。また、触覚ディスプレー７６は、タッチセンサー機能を有する。更に、触覚ディスプレー７６は、触覚をユーザーに提示する。本実施形態では、触覚ディスプレー７６は、ユーザーに振動触覚を提示する。例えば、触覚ディスプレー７６は、ＬＣＤ部と、タッチセンサー部と、帯電フィルム部とを含む。この場合、第２制御部５４が、帯電フィルム部に印加する電圧を制御する。この制御により、帯電フィルム部と人体（例えば、指先）との間に静電気力を発生させて、ユーザーに振動触覚を提示することができる。また、触覚ディスプレー７６は、帯電フィルム部に替えて、超音波振動子アレイを含み得る。この場合、第２制御部５４が超音波振動子アレイの動作を制御する。この制御により、超音波振動子アレイの上方の任意の空間位置に超音波の焦点を作り出して、ユーザーに振動触覚を提示することができる。
【００８１】
振動触覚設定部７７は、設定情報２９に含まれるバイブレーション機能の設定情報に基づいて、触覚ディスプレー７６による振動触覚の提示のオン／オフを切り替える。即ち、携帯型端末２００においてバイブレーション機能がオンになっている場合、振動触覚設定部７７は、触覚ディスプレー７６による振動触覚の提示をオンに設定する。一方、携帯型端末２００においてバイブレーション機能がオフになっている場合、振動触覚設定部７７は、触覚ディスプレー７６による振動触覚の提示をオフに設定する。
【００８２】
以上のように、実施形態６によれば、携帯型端末２００におけるバイブレーション機能のオン／オフ設定を画像形成装置４００に反映させることができる。したがって、画像形成装置４００の設定（振動触覚のオン／オフ設定）をユーザーの好みの設定に自動的に合わせることができる。
【００８３】
［実施形態７］
続いて図１１を参照して実施形態７について説明する。但し、実施形態１〜６と異なる事項を説明し、実施形態１〜６と同じ事項についての説明は割愛する。実施形態７は、画像形成装置４００の構成が実施形態１〜６と異なる。
【００８４】
図１１は、実施形態７に係る画像形成装置４００のブロック図である。図１１に示すように、実施形態７において、画像形成装置４００の第２制御部５４は、第２記憶部４７に記憶されているプログラムを実行することにより、感度変更部７８を更に有するように機能する。
【００８５】
感度変更部７８は、設定情報２９に含まれるタッチセンサー２４の感度の情報に基づいて、タッチセンサー４４の感度設定を変更する。即ち、携帯型端末２００に設定されているタッチ検知の感度が、タッチセンサー４４によるタッチ検知の感度に反映される。
【００８６】
以上のように、実施形態７によれば、携帯型端末２００におけるタッチセンサー２４の感度設定を画像形成装置４００に反映させることができる。したがって、画像形成装置４００の設定（タッチ検知の感度）をユーザーの好みの設定に自動的に合わせることができる。
【００８７】
［実施形態８］
続いて図１２及び図１３を参照して実施形態８について説明する。但し、実施形態１〜７と異なる事項を説明し、実施形態１〜７と同じ事項についての説明は割愛する。実施形態８は、携帯型端末２００及び画像形成装置４００の構成が実施形態１〜７と異なる。
【００８８】
図１２は、実施形態８に係る画像形成装置４００のブロック図である。図１２に示すように、実施形態８において、画像形成装置４００の第２制御部５４は、第２記憶部４７に記憶されているプログラムを実行することにより、設定情報変更受付部７９、第１設定情報変更部８１、及び設定情報変更指示部８２を更に有するように機能する。
【００８９】
設定情報変更受付部７９は、操作パネル４２を介して入力された設定情報２９の変更の指示を受け付ける。第１設定情報変更部８１は、設定情報変更受付部７９が受け付けた指示に応じて、設定情報２９の内容を変更する。設定情報変更指示部８２は、携帯型端末２００に対し、第１記憶部２６に記憶されている設定情報２９を、第１設定情報変更部８１による変更後の設定情報２９へ変更する指示を行う。即ち、設定情報変更指示部８２は、第２記憶部４７が記憶している設定情報２９の内容が変更されると、第２記憶部４７から設定情報２９を読み出す。また、設定情報変更指示部８２は、第２記憶部４７から読み出した設定情報２９（変更後の設定情報２９）を、第２通信部４１を介して携帯型端末２００へ送信する。
【００９０】
図１３は、実施形態８に係る携帯型端末２００のブロック図である。図１３に示すように、第８実施形態において、携帯型端末２００の第１制御部３１は、第１記憶部２６が記憶している設定反映アプリケーション２７を実行することにより、第２設定情報変更部３４を更に有するように機能する。
【００９１】
第２設定情報変更部３４は、設定情報変更指示部８２からの指示に応じて、第１記憶部２６に記憶されている設定情報２９の内容を、第１設定情報変更部８１による変更後の設定情報２９の内容へ変更する。したがって、実施形態８によれば、画像形成装置４００の操作パネル４２をユーザーが操作することにより、携帯型端末２００の設定情報（設定内容）を変更することができる。
【００９２】
以上、本発明の実施形態について図面を参照しながら説明した。但し、本発明は、上記の実施形態に限られるものではなく、その要旨を逸脱しない範囲で種々の態様において実施することが可能である。
【００９３】
例えば、本発明の実施形態では、画像形成装置が複合機であったが、本発明は複合機にのみ適用されるものではない。本発明は、印刷機や複写機のような画像形成装置にも適用することができる。
【００９４】
なお、本発明の実施形態で説明された各事項は適宜組み合わせることが可能である。例えば、本発明の実施形態には、実施形態２において説明した翻訳処理と、実施形態８において説明した携帯型端末２００の設定変更処理とを実行可能なシステムの形態が含まれる。
【産業上の利用可能性】
【００９５】
本発明は、ユーザーによる設定の変更が可能な画像形成装置に有用である。
【符号の説明】
【００９６】
２１        第１通信部
２２        第１表示部
２３        操作部
２６        第１記憶部
２８        第１認証情報
３１        第１制御部
３３        設定情報送信処理部
４１        第２通信部
４２        操作パネル
４６        画像形成部
４７        第２記憶部
５４        第２制御部
６１        画像処理部
１００      画像形成システム
２００      携帯型端末
４００      画像形成装置
【図１】
0006358173.tif 000002
【図２】
0006358173.tif 000003
【図３】
0006358173.tif 000004
【図４】
0006358173.tif 000005
【図５】
0006358173.tif 000006
【図６】
0006358173.tif 000007
【図７】
0006358173.tif 000008
【図８】
0006358173.tif 000009
【図９】
0006358173.tif 000010
【図１０】
0006358173.tif 000011
【図１１】
0006358173.tif 000012
【図１２】
0006358173.tif 000013
【図１３】
0006358173.tif 000014